【手続補正書】
【提出日】平成19年3月14日(2007.3.14)
【手続補正１】
【補正対象書類名】特許請求の範囲
【補正対象項目名】全文
【補正方法】変更
【補正の内容】
【特許請求の範囲】
【請求項１】
腹部のインピーダンスを測定する腹部インピーダンス測定手段と、
生体の特徴を示す指標に基づいて腹部のサイズを推定する腹部サイズ推定手段と、
前記腹部インピーダンス測定手段により測定した腹部のインピーダンスと前記腹部サイズ推定手段により推定した腹部のサイズとに基づいて体組成に関する指標を推定する体組成推定手段と、
を備える腹部インピーダンス式体組成計。
【請求項２】
前記生体の特徴を示す指標は、体重、身長およびＢＭＩであり、
前記腹部サイズ推定手段は、体重を取得する体重取得手段と、身長を取得する身長取得手段と、前記体重取得手段により取得した体重と前記身長取得手段により取得した身長とに基づいてＢＭＩを演算するＢＭＩ演算手段と、前記ＢＭＩ演算手段により演算したＢＭＩに基づいて腹部のサイズを演算する腹部サイズ演算手段とから成ることを特徴とする請求項１記載の腹部インピーダンス式体組成計。
【請求項３】
前記生体の特徴を示す指標は、体重、身長およびＢＭＩであり、
前記腹部サイズ推定手段は、体重を取得する体重取得手段と、身長を取得する身長取得手段と、前記体重取得手段により取得した体重及び前記身長取得手段により取得した身長に基づいてＢＭＩを演算するＢＭＩ演算手段と、前記ＢＭＩ演算手段により演算したＢＭＩと前記体重取得手段により取得した体重及び前記身長取得手段により取得した身長のうちの少なくとも１つとに基づいて腹部のサイズを演算する腹部サイズ演算手段とから成ることを特徴とする請求項１記載の腹部インピーダンス式体組成計。
【請求項４】
前記生体の特徴を示す指標は、体重、身長およびＢＭＩと、全身脂肪に関する指標、全身除脂肪に関する指標、年齢および性別のうちの少なくとも１つであり、
前記腹部サイズ推定手段は、体重を取得する体重取得手段と、身長を取得する身長取得手段と、前記体重取得手段により取得した体重と前記身長取得手段により取得した身長とに基づいてＢＭＩを演算するＢＭＩ演算手段と、全身脂肪に関する指標を取得する全身脂肪指標取得手段、全身除脂肪に関する指標を取得する全身除脂肪指標取得手段、年齢を取得する年齢取得手段及び性別を取得する性別取得手段のうちの少なくとも１つと、前記ＢＭＩ演算手段により演算したＢＭＩと前記全身脂肪指標取得手段により取得した全身脂肪に関する指標、前記全身除脂肪指標取得手段により取得した全身除脂肪に関する指標、前記年齢取得手段により取得した年齢及び前記性別取得手段により取得した性別のうちの少なくとも１つとに基づいて腹部のサイズを演算する腹部サイズ演算手段とから成ることを特徴とする請求項１記載の腹部インピーダンス式体組成計。
【請求項５】
前記腹部サイズ演算手段は、前記ＢＭＩと前記全身脂肪に関する指標を用いて前記腹部のサイズを演算し、
脚脚間のインピーダンスを測定する脚脚間インピーダンス測定手段をさらに有し、
前記全身脂肪指標取得手段は、前記脚脚間インピーダンス測定手段によって測定された脚脚間のインピーダンスに基づいて前記全身脂肪に関する指標を演算する、
請求項４に記載の腹部インピーダンス式体組成計。
【請求項６】
前記生体の特徴を示す指標は、体重、身長およびＢＭＩと、全身脂肪に関する指標、全身除脂肪に関する指標、年齢および性別のうちの少なくとも１つであり、
前記腹部サイズ推定手段は、体重を取得する体重取得手段と、身長を取得する身長取得手段と、前記体重取得手段により取得した体重と前記身長取得手段により取得した身長とに基づいてＢＭＩを演算するＢＭＩ演算手段と、全身脂肪に関する指標を取得する全身脂肪指標取得手段、全身除脂肪に関する指標を取得する全身除脂肪指標取得手段、年齢を取得する年齢取得手段及び性別を取得する性別取得手段のうちの少なくとも１つと、前記ＢＭＩ演算手段により演算したＢＭＩと前記体重取得手段により取得した体重及び前記身長取得手段により取得した身長のうちの少なくとも１つと前記全身脂肪指標取得手段により取得した全身脂肪に関する指標、前記全身除脂肪指標取得手段により取得した全身除脂肪に関する指標、前記年齢取得手段により取得した年齢及び前記性別取得手段により取得した性別のうちの少なくとも１つとに基づいて腹部のサイズを演算する腹部サイズ演算手段とから成ることを特徴とする請求項１記載の腹部インピーダンス式体組成計。
【請求項７】
前記生体の特徴を示す指標は、体重であり、
前記腹部サイズ推定手段は、体重を取得する体重取得手段と、前記体重取得手段により取得した体重に基づいて腹部のサイズを演算する腹部サイズ演算手段とから成ることを特徴とする請求項１記載の腹部インピーダンス式体組成計。
【請求項８】
前記生体の特徴を示す指標は、体重と、全身脂肪に関する指標、全身除脂肪に関する指標、年齢および性別のうちの少なくとも１つであり、
前記腹部サイズ推定手段は、体重を取得する体重取得手段と、全身脂肪に関する指標を取得する全身脂肪指標取得手段、全身除脂肪に関する指標を取得する全身除脂肪指標取得手段、年齢を取得する年齢取得手段、性別を取得する性別取得手段及び身長を取得する身長取得手段のうちの少なくとも１つと、前記体重取得手段により取得した体重と前記全身脂肪指標取得手段により取得した全身脂肪に関する指標、前記全身除脂肪指標取得手段により取得した全身除脂肪に関する指標、前記年齢取得手段により取得した年齢、前記性別取得手段により取得した性別及び前記身長取得手段により取得した身長のうちの少なくとも１つとに基づいて腹部のサイズを演算する腹部サイズ演算手段とから成る
ことを特徴とする請求項１記載の腹部インピーダンス式体組成計。
【請求項９】
前記腹部のサイズは、ウエスト、腹部横幅又は腹部縦幅であることを特徴とする請求項１乃至８のうちのいずれか１項に記載の腹部インピーダンス式体組成計。
【手続補正２】
【補正対象書類名】明細書
【補正対象項目名】０００９
【補正方法】変更
【補正の内容】
【０００９】
本発明の腹部インピーダンス式体組成計は、生体の特徴を示す指標に基づいて腹部のインピーダンスを測定する腹部インピーダンス測定手段と、腹部のサイズを推定する腹部サイズ推定手段と、前記腹部インピーダンス測定手段により測定した腹部のインピーダンスと前記腹部サイズ推定手段により推定した腹部のサイズとに基づいて体組成に関する指標を推定する体組成推定手段とを備える。
【手続補正３】
【補正対象書類名】明細書
【補正対象項目名】００１０
【補正方法】変更
【補正の内容】
【００１０】
また、前記生体の特徴を示す指標は、体重、身長およびＢＭＩであり、前記腹部サイズ推定手段は、体重を取得する体重取得手段と、身長を取得する身長取得手段と、前記体重取得手段により取得した体重と前記身長取得手段により取得した身長とに基づいてＢＭＩを演算するＢＭＩ演算手段と、前記ＢＭＩ演算手段により演算したＢＭＩに基づいて腹部のサイズを演算する腹部サイズ演算手段とから成ることを特徴とする。
【手続補正４】
【補正対象書類名】明細書
【補正対象項目名】００１１
【補正方法】変更
【補正の内容】
【００１１】
また、前記生体の特徴を示す指標は、体重、身長およびＢＭＩであり、前記腹部サイズ推定手段は、体重を取得する体重取得手段と、身長を取得する身長取得手段と、前記体重取得手段により取得した体重及び前記身長取得手段により取得した身長に基づいてＢＭＩを演算するＢＭＩ演算手段と、前記ＢＭＩ演算手段により演算したＢＭＩと前記体重取得手段により取得した体重及び前記身長取得手段により取得した身長のうちの少なくとも１つとに基づいて腹部のサイズを演算する腹部サイズ演算手段とから成ることを特徴とする。
【手続補正５】
【補正対象書類名】明細書
【補正対象項目名】００１２
【補正方法】変更
【補正の内容】
【００１２】
また、前記生体の特徴を示す指標は、体重、身長およびＢＭＩと、全身脂肪に関する指標、全身除脂肪に関する指標、年齢および性別のうちの少なくとも１つであり、前記腹部サイズ推定手段は、体重を取得する体重取得手段と、身長を取得する身長取得手段と、前記体重取得手段により取得した体重と前記身長取得手段により取得した身長とに基づいてＢＭＩを演算するＢＭＩ演算手段と、全身脂肪に関する指標を取得する全身脂肪指標取得手段、全身除脂肪に関する指標を取得する全身除脂肪指標取得手段、年齢を取得する年齢取得手段及び性別を取得する性別取得手段のうちの少なくとも１つと、前記ＢＭＩ演算手段により演算したＢＭＩと前記全身脂肪指標取得手段により取得した全身脂肪に関する指標、前記全身除脂肪指標取得手段により取得した全身除脂肪に関する指標、前記年齢取得手段により取得した年齢及び前記性別取得手段により取得した性別のうちの少なくとも１つとに基づいて腹部のサイズを演算する腹部サイズ演算手段とから成ることを特徴とする。
好ましくは、前記腹部サイズ演算手段は、前記ＢＭＩと前記全身脂肪に関する指標を用いて前記腹部のサイズを演算し、脚脚間のインピーダンスを測定する脚脚間インピーダンス測定手段をさらに有し、前記全身脂肪指標取得手段は、前記脚脚間インピーダンス測定手段によって測定された脚脚間のインピーダンスに基づいて前記全身脂肪に関する指標を演算することを特徴とする。
【手続補正６】
【補正対象書類名】明細書
【補正対象項目名】００１３
【補正方法】変更
【補正の内容】
【００１３】
また、前記生体の特徴を示す指標は、体重、身長およびＢＭＩと、全身脂肪に関する指標、全身除脂肪に関する指標、年齢および性別のうちの少なくとも１つであり、前記腹部サイズ推定手段は、体重を取得する体重取得手段と、身長を取得する身長取得手段と、前記体重取得手段により取得した体重と前記身長取得手段により取得した身長とに基づいてＢＭＩを演算するＢＭＩ演算手段と、全身脂肪に関する指標を取得する全身脂肪指標取得手段、全身除脂肪に関する指標を取得する全身除脂肪指標取得手段、年齢を取得する年齢取得手段及び性別を取得する性別取得手段のうちの少なくとも１つと、前記ＢＭＩ演算手段により演算したＢＭＩと前記体重取得手段により取得した体重及び前記身長取得手段により取得した身長のうちの少なくとも１つと前記全身脂肪指標取得手段により取得した全身脂肪に関する指標、前記全身除脂肪指標取得手段により取得した全身除脂肪に関する指標、前記年齢取得手段により取得した年齢及び前記性別取得手段により取得した性別のうちの少なくとも１つとに基づいて腹部のサイズを演算する腹部サイズ演算手段とから成ることを特徴とする。
【手続補正７】
【補正対象書類名】明細書
【補正対象項目名】００１４
【補正方法】変更
【補正の内容】
【００１４】
また、前記生体の特徴を示す指標は、体重であり、前記腹部サイズ推定手段は、体重を取得する体重取得手段と、前記体重取得手段により取得した体重に基づいて腹部のサイズを演算する腹部サイズ演算手段とから成ることを特徴とする。
【手続補正８】
【補正対象書類名】明細書
【補正対象項目名】００１５
【補正方法】変更
【補正の内容】
【００１５】
また、前記生体の特徴を示す指標は、体重と、全身脂肪に関する指標、全身除脂肪に関する指標、年齢および性別のうちの少なくとも１つであり、前記腹部サイズ推定手段は、体重を取得する体重取得手段と、全身脂肪に関する指標を取得する全身脂肪指標取得手段、全身除脂肪に関する指標を取得する全身除脂肪指標取得手段、年齢を取得する年齢取得手段、性別を取得する性別取得手段及び身長を取得する身長取得手段のうちの少なくとも１つと、前記体重取得手段により取得した体重と前記全身脂肪指標取得手段により取得した全身脂肪に関する指標、前記全身除脂肪指標取得手段により取得した全身除脂肪に関する指標、前記年齢取得手段により取得した年齢、前記性別取得手段により取得した性別及び前記身長取得手段により取得した身長のうちの少なくとも１つとに基づいて腹部のサイズを演算する腹部サイズ演算手段とから成ることを特徴とする。
【手続補正９】
【補正対象書類名】明細書
【補正対象項目名】００１７
【補正方法】変更
【補正の内容】
【００１７】
本発明の腹部インピーダンス式体組成計は、生体の特徴を示す指標に基づいて腹部インピーダンス測定手段により腹部のインピーダンスを測定し、腹部サイズ推定手段により腹部のサイズを推定し、体組成推定手段によりこれら腹部のインピーダンス及び腹部のサイズに基づいて体組成に関する指標を推定する。これによると、腹部サイズ推定手段による推定が直接的な腹部のサイズの取得（入力又は測定）でないため、正確な腹部のサイズに基づいた体組成に関する指標を得ることができる。
【手続補正１０】
【補正対象書類名】明細書
【補正対象項目名】００１８
【補正方法】変更
【補正の内容】
【００１８】
また、生体の特徴を示す指標は、体重、身長およびＢＭＩであり、腹部サイズ推定手段では、体重取得手段により体重を取得し、身長取得手段により身長を取得し、ＢＭＩ演算手段によりこれら体重及び身長に基づいてＢＭＩを演算し、腹部サイズ演算手段によりこのＢＭＩに基づいて腹部のサイズを演算する。これによると、ＢＭＩが腹部のサイズと高い相関特性を示すパラメータであるため、特に正確な腹部のサイズに基づいた体組成に関する指標を得ることができる。
【手続補正１１】
【補正対象書類名】明細書
【補正対象項目名】００１９
【補正方法】変更
【補正の内容】
【００１９】
また、生体の特徴を示す指標は、体重、身長およびＢＭＩであり、腹部サイズ推定手段では、体重取得手段により体重を取得し、身長取得手段により身長を取得し、ＢＭＩ演算手段によりこれら体重及び身長に基づいてＢＭＩを演算し、腹部サイズ演算手段によりこれらＢＭＩと体重及び身長のうちの少なくとも１つとに基づいて腹部のサイズを演算する。これによると、体重又は身長が、ＢＭＩと組み合わせることにより腹部のサイズとの相関特性を向上させるパラメータであるため、より特に正確な腹部のサイズに基づいた体組成に関する指標を得ることができる。
【手続補正１２】
【補正対象書類名】明細書
【補正対象項目名】００２０
【補正方法】変更
【補正の内容】
【００２０】
また、生体の特徴を示す指標は、体重、身長およびＢＭＩと、全身脂肪に関する指標、全身除脂肪に関する指標、年齢および性別のうちの少なくとも１つであり、腹部サイズ推定手段では、体重取得手段により体重を取得し、身長取得手段により身長を取得し、ＢＭＩ演算手段によりこれら体重及び身長に基づいてＢＭＩを演算し、全身脂肪指標取得手段による全身脂肪に関する指標の取得、全身除脂肪指標取得手段による全身除脂肪に関する指標の取得、年齢取得手段による年齢の取得、性別取得手段による性別の取得のうちの少なくとも１つ行い、腹部サイズ演算手段によりこれらＢＭＩと全身脂肪に関する指標、全身除脂肪に関する指標、年齢及び性別のうちの少なくとも１つとに基づいて腹部のサイズを演算する。これによると、全身脂肪に関する指標、全身除脂肪に関する指標、年齢又は性別が、ＢＭＩと組み合わせることにより腹部のサイズとの相関特性を向上させるパラメータであるため、より特に正確な腹部のサイズに基づいた体組成に関する指標を得ることができる。
また、この場合、脚脚間インピーダンス測定手段により脚脚間のインピーダンスを測定し、腹部サイズ演算手段では、この脚脚間のインピーダンスに基づいて全身脂肪に関する指標を演算し、ＢＭＩと全身脂肪に関する指標を用いて腹部のサイズを演算するようにしてもよい。
【手続補正１３】
【補正対象書類名】明細書
【補正対象項目名】００２１
【補正方法】変更
【補正の内容】
【００２１】
また、生体の特徴を示す指標は、体重、身長およびＢＭＩと、全身脂肪に関する指標、全身除脂肪に関する指標、年齢および性別のうちの少なくとも１つであり、腹部サイズ推定手段では、体重取得手段により体重を取得し、身長取得手段により身長を取得し、ＢＭＩ演算手段によりこれら体重及び身長に基づいてＢＭＩを演算し、全身脂肪指標取得手段による全身脂肪に関する指標の取得、全身除脂肪指標取得手段による全身除脂肪に関する指標の取得、年齢取得手段による年齢の取得、性別取得手段による性別の取得のうちの少なくとも１つ行い、腹部サイズ演算手段によりこれらＢＭＩと体重及び身長のうちの少なくとも１つと全身脂肪に関する指標、全身除脂肪に関する指標、年齢、性別、体重及び身長のうちの少なくとも１つとに基づいて腹部のサイズを演算する。これによると、体重又は身長、及び全身脂肪に関する指標、全身除脂肪に関する指標、年齢又は性別が、ＢＭＩと組み合わせることにより腹部のサイズとの相関特性を向上させるパラメータであるため、より特に正確な腹部のサイズに基づいた体組成に関する指標を得ることができる。
【手続補正１４】
【補正対象書類名】明細書
【補正対象項目名】００２２
【補正方法】変更
【補正の内容】
【００２２】
また、生体の特徴を示す指標は、体重であり、腹部サイズ推定手段では、体重取得手段により体重を取得し、腹部サイズ演算手段によりこの体重に基づいて腹部のサイズを演算する。これによると、体重が、腹部のサイズと高い相関特性を示すパラメータであるため、特に正確な腹部のサイズに基づいた体組成に関する指標を得ることができる。
【手続補正１５】
【補正対象書類名】明細書
【補正対象項目名】００２３
【補正方法】変更
【補正の内容】
【００２３】
また、生体の特徴を示す指標は、体重と、全身脂肪に関する指標、全身除脂肪に関する指標、年齢および性別のうちの少なくとも１つであり、腹部サイズ推定手段では、体重取得手段により体重を取得し、全身脂肪指標取得手段による全身脂肪に関する指標の取得、全身除脂肪指標取得手段による全身除脂肪に関する指標の取得、年齢取得手段による年齢の取得、性別取得手段による性別の取得、身長取得手段による身長の取得のうちの少なくとも１つ行い、腹部サイズ演算手段によりこれら体重と全身脂肪に関する指標、全身除脂肪に関する指標、年齢、性別及び身長のうちの少なくとも１つとに基づいて腹部のサイズを演算する。これによると、全身脂肪に関する指標、全身除脂肪に関する指標、年齢、性別又は身長が、体重と組み合わせることにより腹部のサイズとの相関特性を向上させるパラメータであるため、より特に正確な腹部のサイズに基づいた体組成に関する指標を得ることができる。より特に正確な腹部のサイズに基づいた体組成に関する指標を得ることができる。
【手続補正１６】
【補正対象書類名】明細書
【補正対象項目名】００２４
【補正方法】変更
【補正の内容】
【００２４】
また、腹部のサイズは、ウエスト、腹部横幅又は腹部縦幅である。これによると、ウエスト、腹部横幅又は腹部縦幅が、体組成に関する指標と高い相関特性を示すパラメータであるため、特に正確な腹部のサイズに基づいた体組成に関する指標を特に得ることができる。